(57)【要約】【課題】留守録機能等の従来の機能の起動解除に連動して緊急事態監視システムの起動解除を行うことができる電話装置を提供することを目的とする。【解決手段】留守中に外線からの着信があった場合に発呼者への自動応答メッセージを再生または発呼者からのメッセージを録音する留守録部１０８と、留守録部１０８を起動または解除する留守録部起動解除部１０５、１０６とを有し、ホームセキュリティシステム等の緊急事態監視システム７０１との通信を行う電話装置１０１、１０２であって、留守録部起動解除部１０５、１０６における留守録部１０８の起動解除に連動して緊急事態監視システム７０１の起動解除を行う緊急事態制御装置起動解除部１０７を有する。【選択図】図１
2005130338.tif 000002
【特許請求の範囲】
【請求項１】
留守中に外線からの着信があった場合に発呼者への自動応答メッセージを再生または前記発呼者からのメッセージを録音する留守録部と、前記留守録部を起動または解除する留守録部起動解除部とを有し、ホームセキュリティシステム等の緊急事態監視システムとの通信を行う電話装置であって、
前記留守録部起動解除部における前記留守録部の起動解除に連動して前記緊急事態監視システムの起動解除を行う緊急事態制御装置起動解除部を有することを特徴とする電話装置。
【請求項２】
受話器持上げを検出する受話器持上げ検出部を備え、前記緊急事態制御装置起動解除部は、ベル等の着信報知部が継続している間の受話器持上げを前記受話器持上げ検出部が検出した場合には前記緊急事態監視システムの解除を行うことを特徴とする請求項１に記載の電話装置。
【請求項３】
スピーカーフォンを起動解除するスピーカーフォン起動解除部を備え、前記緊急事態制御装置起動解除部は、ベル等の着信報知部が継続している間のスピーカーフォンの起動をスピーカーフォン起動解除部が行った場合には前記緊急事態監視システムの解除を行うことを特徴とする請求項１に記載の電話装置。
【請求項４】
前記緊急事態制御装置起動解除部は、ベル等の着信報知部における着信報知があらかじめ設定された回数以上発生した場合には前記緊急事態監視システムの起動を行うことを特徴とする請求項１に記載の電話装置。
【請求項５】
前記緊急事態制御装置起動解除部は、あらかじめ指定されたコーラＩＤ等の発呼者情報を受信した場合には前記緊急事態監視システムの起動または解除を行うことを特徴とする請求項１に記載の電話装置。
【請求項６】
前記留守録部で録音されたメッセージを再生するメッセージ再生部と、前記メッセージ再生部を起動するメッセージ再生起動部とを備え、前記緊急事態制御装置起動解除部は、前記メッセージ再生起動部における前記メッセージ再生部の起動に連動して前記緊急事態監視システムの解除を行うことを特徴とする請求項１に記載の電話装置。
【請求項７】
前記電話装置は互いに通信を行う親機と子機とから成り、
前記親機は前記留守録部と前記留守録部起動解除部と前記緊急事態制御装置起動解除部とを有し、
前記子機は前記留守録部起動解除部を有することを特徴とする請求項１に記載の電話装置。
【発明の詳細な説明】
【技術分野】
【０００１】
本発明は、留守中に外線からの着信があった場合に発呼者への自動応答メッセージを再生または前記発呼者からのメッセージを録音する留守録部と、前記留守録部を起動または解除する留守録部起動解除部とを有し、ホームセキュリティシステム等の緊急事態監視システムとの通信を行う電話装置に関するものである。
【背景技術】
【０００２】
近年、家庭内に配置された複数のセンサーを一括して管理するボックス型の緊急事態監視システムが社会環境の変化に伴って普及し始めている。さらに、この緊急事態監視システムに一般に広く普及している電話装置を組み合わせることで、複数の子機へ緊急事態監視システムからの情報を表示したり、あるいは子機に緊急事態監視システムへの緊急通報機能をもたせたりすることによって、緊急事態監視システム活用の利便性が向上されてきた。以下、図面を参照しながら従来の電話装置との通信を行う緊急事態監視システムについて説明を行う。
【０００３】
図７は緊急事態監視システムの起動解除を行う従来の電話装置を示す構成図である。
【０００４】
図７において、７０１はボックス型の緊急事態監視システムであり、家庭内に配置された複数のセンサー７０４と、システムの外部と有線あるいは無線によって接続された緊急事態制御装置７０３とから構成される。７０２はボックス型の緊急事態監視システム７０１と接続される電話装置であり、親機７０６とゼロまたは１台以上の子機７０７とから構成され、親機７０６と子機７０７はそれぞれアンテナ７０８および７０９を備え無線によって通信を行う。緊急事態監視システム７０１は電話線７１１によって公衆回線網７０５に接続されている。さらに、電話線を含む通信路７１０によって電話装置７０２と接続されている。
【０００５】
親機７０６は、受話器７１２と、外線から着信があった場合に発呼者への自動応答メッセージを再生または前記発呼者からのメッセージを録音する留守録部の起動・解除を行う留守録部起動解除部７１３と、受話器７１２を持たずに通話のできるスピーカーフォンを起動解除するスピーカーフォン起動解除部７１４と、緊急事態監視システム７０１を遠隔起動または遠隔解除する緊急事態制御部７１５と、複数の子機との無線通信を確立するためのアンテナ７０８とを有する。子機７０７は、子機７０７における留守録部の起動・解除を行う留守録部起動解除部７１６と、子機７０７におけるスピーカーフォン起動解除部７１７と、緊急事態監視システム７０１を遠隔起動または遠隔解除する子機７０７における緊急事態制御部７１８と、親機７０６との無線通信を確立するための子機７０７におけるアンテナ７１９とを有する。
【０００６】
以上のように構成された従来の電話装置について、その動作を説明する。
【０００７】
緊急事態監視システム７０１との関連動作において、電話装置７０２は、子機７０７および親機７０６がそれぞれ緊急事態監視システム７０１の緊急通報装置として機能（第１の機能）するか、あるいは緊急事態情報の視覚的あるいは音声的な表示装置として機能（第２の機能）するか、あるいはユーザーによる緊急事態監視システム７０１の遠隔制御装置として機能（第３の機能）するかの３つの機能を持つ。
【０００８】
まず第１の機能である緊急通報装置としての機能について説明する。親機７０６および各子機７０７には手動で入力できる緊急スイッチ（図示せず）が備えられており、火災や
侵入者発見などの緊急事態発生時にはユーザーが身近な親機７０６あるいは子機７０７の緊急スイッチを操作することによって、緊急事態制御装置７０３へ緊急事態発生を通知する。親機７０６の場合には直接に有線の通信路によって情報が伝達され、子機７０７の場合には一旦親機７０６へ無線によって情報が伝達されたのちに親機７０６を経由して緊急事態制御装置７０３へ伝達される。緊急事態制御装置７０３は、センサー７０４からの緊急信号と同様にして、公衆回線網７０５を介して、中央緊急事態センターや警察や消防などの公共緊急事態部門へ緊急事態発生の連絡を自動的に行う。
【０００９】
次に第２の機能である表示装置としての機能について説明する。センサー７０４が緊急事態を検出した場合、その緊急信号はまず緊急事態制御装置７０３へ伝えられる。緊急事態制御装置７０３は、緊急事態の発生を電話回線経由で中央緊急事態センターや公共緊急事態部門へ連絡するとともに、有線通信路を経由して電話装置７０２の親機７０６へ緊急事態の発生情報を伝える。親機７０６はこの情報を無線通信路を介して複数存在する子機７０７のすべてあるいは一部に伝え、情報を受け取った子機７０７はそれを視覚的あるいは音声的に表示する。
【００１０】
次に第３の機能である遠隔制御装置としての機能について説明する。ユーザーによる緊急事態監視システム７０１の実使用における様々な制御（例えば、外出時のオン、帰宅時のオフ、在宅中の訪問客の為に一時的に一部の機能を解除するなどの制御）は緊急事態制御装置７０３でも行えるが、大抵の場合に緊急事態制御装置７０３は地下室などのユーザーが通常行かない場所に設置される場合が多い為、この様々な制御機能を居間に置いてある親機７０６や寝室等に置いてある子機７０７からも行えるようにしてある。
【００１１】
このような動作については例えば（特許文献１）に記載されている。
【特許文献１】特開平０７−２２２２４６号公報
【発明の開示】
【発明が解決しようとする課題】
【００１２】
しかしながら、従来の電話装置では、電話装置を緊急事態監視システムの遠隔制御装置として使用する場合（第３の機能）、ユーザーが外出時に緊急事態監視システムを起動するのを忘れてしまう場合があるという問題点を有していた。また、緊急事態監視システムを起動させるのが困難で誤操作をする可能性があると思われる小さな子供や老人などが単独で外出する場合には起動操作をさせないほうがよい場合があるが、小さな子供や老人などに対する配慮に欠けるという問題点を有していた。一方、電話装置の留守録機能は既に一般的に広く普及しており、電話装置の必要不可欠な機能の一つとして定着していると考えられ、ユーザーが外出時に留守録機能をセットする習慣も定着していると考えられる。
【００１３】
この電話装置では、留守録機能等の従来の機能の起動解除に連動して緊急事態監視システムの起動解除が行われることが要求されている。
【００１４】
本発明は、この要求を満たすため、留守録機能等の従来の機能の起動解除に連動して緊急事態監視システムの起動解除を行うことができる電話装置を提供することを目的とする。
【課題を解決するための手段】
【００１５】
上記課題を解決するために本発明の電話装置は、留守中に外線からの着信があった場合に発呼者への自動応答メッセージを再生または発呼者からのメッセージを録音する留守録部と、留守録部を起動または解除する留守録部起動解除部とを有し、ホームセキュリティシステム等の緊急事態監視システムとの通信を行う電話装置であって、留守録部起動解除部における留守録部の起動解除に連動して緊急事態監視システムの起動解除を行う緊急事
態制御装置起動解除部を有する構成を備えている。
【００１６】
これにより、留守録機能等の従来の機能の起動解除に連動して緊急事態監視システムの起動解除を行うことができる電話装置が得られる。
【発明の効果】
【００１７】
本発明の電話装置は、留守中に外線からの着信があった場合に発呼者への自動応答メッセージを再生または発呼者からのメッセージを録音する留守録部と、留守録部を起動または解除する留守録部起動解除部とを有し、ホームセキュリティシステム等の緊急事態監視システムとの通信を行う電話装置であって、留守録部起動解除部における留守録部の起動解除に連動して緊急事態監視システムの起動解除を行う緊急事態制御装置起動解除部を有することにより、留守録部起動解除部により留守録部の起動解除をしさえすれば緊急事態監視システムの起動解除が行われるので、ユーザーの外出時の起動し忘れや帰宅時の解除し忘れによる誤動作を未然に防ぐ事ができるという有利な効果が得られる。
【００１８】
さらに、受話器持上げを検出する受話器持上げ検出部を備え、緊急事態制御装置起動解除部は、ベル等の着信報知部が継続している間の受話器持上げを受話器持上げ検出部が検出した場合には緊急事態監視システムの解除を行うことにより、在宅中の小さな子供や機械操作の苦手な年配者でも緊急事態監視システムの解除を誤操作することなく行えるという有利な効果が得られる。
【００１９】
さらに、スピーカーフォンを起動解除するスピーカーフォン起動解除部を備え、緊急事態制御装置起動解除部は、ベル等の着信報知部が継続している間のスピーカーフォンの起動をスピーカーフォン起動解除部が行った場合には緊急事態監視システムの解除を行うことにより、小さな子供や年配者だけでなく体に障害を持つ障害者でも緊急事態監視システムの解除を誤操作することなく行えるという有利な効果が得られる。
【００２０】
さらに、緊急事態制御装置起動解除部は、ベル等の着信報知部における着信報知があらかじめ設定された回数以上発生した場合には緊急事態監視システムの起動を行うことにより、外出先で緊急事態監視システムの起動し忘れに気がついた場合に、自宅へ電話をかけ、設定された回数以上着信報知を発生させて自動的に緊急事態監視システムを起動することができるという有利な効果が得られる。
【００２１】
さらに、緊急事態制御装置起動解除部は、あらかじめ指定されたコーラＩＤ等の発呼者情報を受信した場合には緊急事態監視システムの起動または解除を行うことにより、勤務先等の特定の電話番号からの着呼により緊急事態監視システムの起動解除を行えるという有利な効果が得られる。
【００２２】
さらに、留守録部で録音されたメッセージを再生するメッセージ再生部と、メッセージ再生部を起動するメッセージ再生起動部とを備え、緊急事態制御装置起動解除部は、メッセージ再生起動部におけるメッセージ再生部の起動に連動して緊急事態監視システムの解除を行うことにより、帰宅後留守録部に録音されたメッセージの再生と同時に緊急事態監視システムの解除も行うことができるという有利な効果が得られる。
【００２３】
さらに、電話装置は互いに通信を行う親機と子機とから成り、親機は留守録部と留守録部起動解除部と緊急事態制御装置起動解除部とを有し、子機は留守録部起動解除部を有することにより、親機において留守録部起動解除部により留守録部の起動解除をしさえすれば緊急事態監視システムの起動解除が行われると共に、子機においても通信回線を介して留守録部起動解除部により親機の留守録部の起動解除をしさえすれば親機の緊急事態監視システムの起動解除が行われるので、ユーザーの外出時の起動し忘れや帰宅時の解除し忘
れによる誤動作を未然に防ぐ事ができるという有利な効果が得られる。
【発明を実施するための最良の形態】
【００２４】
本発明は、ホームセキュリティシステム等の緊急事態監視システムの起動し忘れや解除し忘れによる誤動作を未然に防ぐという目的を、留守録機能の起動解除と連動させて緊急事態監視システムの起動解除を行うことで実現した。
【００２５】
上記課題を解決するために第１の発明は、留守中に外線からの着信があった場合に発呼者への自動応答メッセージを再生または発呼者からのメッセージを録音する留守録部と、留守録部を起動または解除する留守録部起動解除部とを有し、ホームセキュリティシステム等の緊急事態監視システムとの通信を行う電話装置であって、留守録部起動解除部における留守録部の起動解除に連動して緊急事態監視システムの起動解除を行う緊急事態制御装置起動解除部を有することとしたものであり、留守録部起動解除部により留守録部の起動解除をしさえすれば緊急事態監視システムの起動解除が行われるので、ユーザーの外出時の起動し忘れや帰宅時の解除し忘れによる誤動作を未然に防ぐ事ができるという有利な効果が得られる。
【００２６】
上記課題を解決するために第２の発明は、受話器持上げを検出する受話器持上げ検出部を備え、緊急事態制御装置起動解除部は、ベル等の着信報知部が継続している間の受話器持上げを受話器持上げ検出部が検出した場合には緊急事態監視システムの解除を行うこととしたものであり、在宅中の小さな子供や機械操作の苦手な年配者でも緊急事態監視システムの解除を誤操作することなく行えるという作用・効果を有する。
【００２７】
上記課題を解決するために第３の発明は、スピーカーフォンを起動解除するスピーカーフォン起動解除部を備え、緊急事態制御装置起動解除部は、ベル等の着信報知部が継続している間のスピーカーフォンの起動をスピーカーフォン起動解除部が行った場合には緊急事態監視システムの解除を行うこととしたものであり、小さな子供や年配者だけでなく体に障害を持つ障害者でも緊急事態監視システムの解除を誤操作することなく行えるという作用・効果を有する。
【００２８】
上記課題を解決するために第４の発明は、緊急事態制御装置起動解除部は、ベル等の着信報知部における着信報知があらかじめ設定された回数以上発生した場合には緊急事態監視システムの起動を行うこととしたものであり、外出先で緊急事態監視システムの起動し忘れに気がついた場合に、自宅へ電話をかけ、設定された回数以上着信報知を発生させて自動的に緊急事態監視システムを起動することができるという作用・効果を有する。
【００２９】
上記課題を解決するために第５の発明は、緊急事態制御装置起動解除部は、あらかじめ指定されたコーラＩＤ等の発呼者情報を受信した場合には緊急事態監視システムの起動または解除を行うこととしたものであり、勤務先等の特定の電話番号からの着呼により緊急事態監視システムの起動解除を行えるという作用・効果を有する。
【００３０】
上記課題を解決するために第６の発明は、留守録部で録音されたメッセージを再生するメッセージ再生部と、メッセージ再生部を起動するメッセージ再生起動部とを備え、緊急事態制御装置起動解除部は、メッセージ再生起動部におけるメッセージ再生部の起動に連動して緊急事態監視システムの解除を行うこととしたものであり、帰宅後留守録部に録音されたメッセージの再生と同時に緊急事態監視システムの解除も行うことができるという作用・効果を有する。
【００３１】
上記課題を解決するために第７の発明は、電話装置は互いに通信を行う親機と子機とから成り、親機は留守録部と留守録部起動解除部と緊急事態制御装置起動解除部とを有し、
子機は留守録部起動解除部を有することとしたものであり、親機において留守録部起動解除部により留守録部の起動解除をしさえすれば緊急事態監視システムの起動解除が行われると共に、子機においても通信回線を介して留守録部起動解除部により親機の留守録部の起動解除をしさえすれば親機の緊急事態監視システムの起動解除が行われるので、ユーザーの外出時の起動し忘れや帰宅時の解除し忘れによる誤動作を未然に防ぐ事ができるという作用・効果を有する。
【００３２】
（実施の形態１）
図１（ａ）は本発明の実施の形態１による電話装置を示す構成図であり、図１（ｂ）は本発明の実施の形態１による電話装置を示すブロック図である。
【００３３】
図１において、１０１は親機、１０２は子機、１０３は親機１０１の緊急事態監視システム７０１の起動解除を行う緊急事態監視システム起動解除部、１０４は子機１０２において緊急事態監視システムの起動解除を行うための緊急事態監視システム起動解除部、１０５は親機１０１の留守録部起動解除部、１０６は子機１０２の留守録部起動解除部、１０７は緊急事態制御装置７０３の起動解除を行う緊急事態制御装置起動解除部、１０８は留守録部、７０１は図７と同様の緊急事態監視システム、７０３は図７と同様の緊急事態制御装置、７０５は図７と同様の公衆回線網、７０８、７０９は図７と同様のアンテナ、７１２は図７と同様の受話器である。
【００３４】
図１（ｂ）において、緊急事態監視システム起動解除部１０３および１０４は緊急事態監視システム７０１のみを起動解除するものであり、例えば就寝時など在宅中で留守録部１０８を起動しない場合に利用される。留守録部起動解除部１０５および１０６は留守録部１０８と緊急事態監視システム７０１の両方を起動解除するものであり、例えば外出時など留守録機能も同時に起動解除する場合に利用される。
【００３５】
以上のように本実施の形態によれば、外出時等に緊急事態監視システム７０１と留守録部１０８の両方を同時に起動解除することができ、起動し忘れを防ぐことができる。
【００３６】
また、電話装置が互いに通信を行う親機１０１と子機１０２とから成り、親機１０１は留守録部１０８と留守録部起動解除部１０５と緊急事態監視システム起動解除部１０３とを有し、子機１０２は留守録部起動解除部１０６を有することにより、親機１０１において留守録部起動解除部１０５により留守録部１０８の起動解除をしさえすれば緊急事態監視システム起動解除部１０３の起動解除が行われると共に、子機１０２においても通信回線を介して留守録部起動解除部１０６により親機１０１の留守録部１０８の起動解除をしさえすれば親機１０１の緊急事態監視システム７０１の起動解除が行われるので、外出時等に緊急事態監視システム７０１と留守録部１０８の両方を同時に起動解除することができ、起動し忘れを防ぐことができる。
【００３７】
（実施の形態２）
図２は、本発明の実施の形態２による電話装置を示すブロック図である。図２の電話装置の構成は、図１における親機１０１に、受話器７１２が持ち上げられたかどうかを検出する受話器持上げ検出部２０１と回線接続部２０２とを追加したものである。
【００３８】
図２において、受話器７１２の持上げを受話器持上げ検出部２０１が検出すると、回線接続部２０２が通常の電話としての回線接続を行うと同時に、緊急事態制御装置起動解除部１０７が緊急事態監視システムの解除も行う。但し、ここでは解除のみ行い、起動は行わない。
【００３９】
以上のように本実施の形態によれば、受話器７１２の持上げのみで緊急事態監視システ
ム７０１の解除を行うことができ、例えば在宅中の老人や子供でも簡単に緊急事態監視システム７０１の解除を行うことができる。
【００４０】
（実施の形態３）
図３（ａ）は本発明の実施の形態３による電話装置を示す構成図であり、図３（ｂ）は本発明の実施の形態３による電話装置を示すブロック図である。
【００４１】
図３の電話装置の構成は、図１の親機に、スピーカーフォン（図示せず）の起動解除を行うスピーカーフォン起動解除部３０３と回線接続部２０２とを追加し、図１の子機に、スピーカーフォンの起動解除を行うスピーカーフォン起動解除部３０４を追加したものであり、３０１は親機、３０２は子機である。
【００４２】
図３において、外線着信があった場合にスピーカーフォン起動解除部３０３または３０４を起動させると、回線接続部２０２が通常の電話としての回線接続を行うと同時に、緊急事態制御装置起動解除部１０７が緊急事態監視システム７０１の解除も行う。但し、ここでは解除のみ行い、起動は行わない。
【００４３】
以上のように本実施の形態によれば、スピーカーフォン起動解除部３０３の起動のみで緊急事態監視システム７０１の解除を行うことができ、例えば在宅中の老人や子供でも簡単に緊急事態監視システム７０１の解除を行うことができる。
【００４４】
（実施の形態４）
図４は、本発明の実施の形態４による電話装置の動作を示すフローチャートである。なお、親機と子機の構成は図１と同等である。
【００４５】
図４において、親機１０１の内部には、ベル等の着信報知部（図示せず）における着信報知回数の設定値Ｎ１、Ｎ２が保持されており、着信報知部における着信報知回数がＮ１、Ｎ２に達すると、緊急事態監視システム７０１および留守録部１０８がそれぞれ起動する。Ｎ１およびＮ２はユーザーにより自由に設定することができる。外線着信があった場合、Ｎ１が設定されており（Ｓ１）、着信報知がＮ１回以上発生すると（Ｓ２、Ｓ３）、緊急事態制御装置起動解除部１０７が緊急事態監視システム７０１を自動的に起動する（Ｓ４）。設定されていなければ緊急事態システム７０１の自動起動はせず、留守録部１０８の起動に移行する（Ｓ１）。留守録部１０８が起動されていない場合（Ｓ５）、着信報知がＮ２回以上発生すると（Ｓ６、Ｓ７）、留守録部起動解除部１０５が留守録部１０８を自動的に起動する（Ｓ８）。既に起動している場合には遠隔制御の終了となる（Ｓ５、Ｓ９）。但し、ここでは起動のみ行い、解除は行わない。
【００４６】
以上のように本実施の形態によれば、外線から自宅へ電話をかけることで、遠隔操作で緊急事態監視システム７０１や留守録部１０８の起動を行うことができる。
【００４７】
（実施の形態５）
図５は、本発明の実施の形態５による電話装置の動作を示すフローチャートである。なお、親機と子機の構成は図１と同等である。
【００４８】
図５において、親機１０１内部には、コーラＩＤなどのシステムにおける特定の発呼者情報（電話番号や氏名等の情報）が保持されており、ユーザーにより自由に設定・変更が可能である。外線着信があった場合、ユーザーがサービスに加入していれば、発呼者情報が受信される（Ｓ１１）。発呼者情報の受信は、図示していないが、親機１０１内部の一般に「呼制御部」と呼ばれる回線接続処理部で行われる。受信発呼者情報が親機１０１内部に登録されているものと一致する場合は緊急事態制御装置起動解除部１０７においてパ
スワード要求へ移行するが（Ｓ１２、Ｓ１３）、一致しない場合は緊急事態制御装置起動解除部１０７において遠隔制御は拒否される（Ｓ１８）。入力したパスワードが正当であれば（Ｓ１４）、緊急事態制御装置起動解除部１０７において緊急事態監視システム７０１の起動または解除が行われる（Ｓ１５、Ｓ１６、Ｓ１７、Ｓ１９）。正当でない場合は遠隔制御は拒否される（Ｓ１８）。
【００４９】
以上のように本実施の形態によれば、ユーザー指定の発呼者情報によって緊急事態監視システム７０１の遠隔からの起動解除を行うことができ、ユーザーが勤務先等から自宅へ電話をかけ、パスワードを入力することで、起動だけでなく解除も行うことができる。
【００５０】
（実施の形態６）
図６（ａ）は本発明の実施の形態６による電話装置を示す構成図であり、図６（ｂ）は本発明の実施の形態６による電話装置を示すブロック図である。なお、図６の電話装置の構成は、図１において親機１０１・子機１０２にそれぞれメッセージ再生起動部６０３、６０４およびスピーカー等のメッセージ再生部６０５、６０６を追加したものである。また、６０１は親機、６０２は子機である。
【００５１】
図６において、メッセージ再生起動部６０３または６０４を動作させると、留守録部１０８にメッセージがある場合はメッセージ再生部６０５または６０６からメッセージが出力されると共に留守録部１０８が解除される。この時、本発明の実施の形態１と同様に、緊急事態監視システム７０１も同時に緊急事態制御装置起動解除部１０７により解除することができる。
【００５２】
以上のように本実施の形態によれば、帰宅時等に留守録部１０８に録音されたメッセージを確認することで、緊急事態監視システム７０１を同時に解除することができる。
【産業上の利用可能性】
【００５３】
本発明は、留守中に外線からの着信があった場合に発呼者への自動応答メッセージを再生または前記発呼者からのメッセージを録音する留守録部と、前記留守録部を起動または解除する留守録部起動解除部とを有し、ホームセキュリティシステム等の緊急事態監視システムとの通信を行う電話装置に関し、留守録部起動解除部による留守録部の起動解除に連動して緊急事態制御装置起動解除部による緊急事態監視システムの起動解除を行うことができ、ユーザーの外出時の起動し忘れや帰宅時の解除し忘れによる誤動作を未然に防ぐ事ができる。
【図面の簡単な説明】
【００５４】
【図１】（ａ）は本発明の実施の形態１による電話装置を示す構成図、（ｂ）は本発明の同電話装置を示すブロック図
【図２】本発明の実施の形態２による電話装置を示すブロック図
【図３】（ａ）は本発明の実施の形態３による電話装置を示す構成図、（ｂ）は同電話装置を示すブロック図
【図４】本発明の実施の形態４による電話装置の動作を示すフローチャート
【図５】本発明の実施の形態５による電話装置の動作を示すフローチャート
【図６】（ａ）は本発明の実施の形態６による電話装置を示す構成図、（ｂ）は同電話装置を示すブロック図
【図７】緊急事態監視システムの起動解除を行う従来の電話装置を示す構成図
【符号の説明】
【００５５】
１０１、３０１、６０１    親機
１０２、３０２、６０２    子機
１０３、１０４    緊急事態監視システム起動解除部
１０５、１０６    留守録部起動解除部
１０７    緊急事態制御装置起動解除部
１０８    留守録部
２０１    受話器持上げ検出部
２０２    回線接続部
３０３、３０４    スピーカーフォン起動解除部
６０３、６０４    メッセージ再生起動部
６０５、６０６    メッセージ再生部
７０１    緊急事態監視システム
７０３    緊急事態制御装置
７０４    センサー
７０５    公衆回線網
７０８、７０９    アンテナ
７１２    受話器
【図１】
2005130338.tif 000003
【図２】
2005130338.tif 000004
【図３】
2005130338.tif 000005
【図４】
2005130338.tif 000006
【図５】
2005130338.tif 000007
【図６】
2005130338.tif 000008
【図７】
2005130338.tif 000009